(57)【要約】【課題】携帯電話に大容量の印刷用画像を格納させてしまう。【解決手段】印刷装置に転送されて印刷される印刷用画像を移動体端末に送信する画像送信サーバであって、移動体端末から、印刷用画像を購入する旨の入力、および、購入する印刷用画像をすぐにダウンロードするか後にダウンロードするかの入力を受け付ける購入受付部と、購入受付部により購入する旨の入力を受け付けた印刷用画像を移動体端末に送信し、移動体端末が印刷用画像を印刷装置に転送した旨を示す情報を移動体端末から受信する印刷用画像送信部と、購入受付部により購入する旨の入力を受け付けた印刷用画像を識別する識別情報に対応付けて、印刷装置に印刷用画像が転送されたか否かを示す転送情報を格納する転送情報格納部とを備える。【選択図】図２
2008287586.tif 000002
【特許請求の範囲】
【請求項１】
印刷装置に転送されて印刷される印刷用画像を移動体端末に送信する画像送信サーバであって、
前記移動体端末から、前記印刷用画像を購入する旨の入力、および、購入する前記印刷用画像をすぐにダウンロードするか後にダウンロードするかの入力を受け付ける購入受付部と、
前記購入受付部により購入する旨の入力を受け付けた印刷用画像を前記移動体端末に送信し、前記移動体端末が前記印刷用画像を前記印刷装置に転送した旨を示す情報を前記移動体端末から受信する印刷用画像送信部と、
前記購入受付部により購入する旨の入力を受け付けた印刷用画像を識別する識別情報に対応付けて、前記印刷装置に前記印刷用画像が転送されたか否かを示す転送情報を格納する転送情報格納部と
を備え、
前記印刷用画像送信部は、前記購入受付部が前記印刷用画像を購入する旨の入力、および、購入する前記印刷用画像をすぐにダウンロードする旨の入力を前記移動体端末から受け付けたときは、前記印刷用画像を前記移動体端末に送信し、前記印刷用画像の送信後に前記印刷用画像を前記印刷装置に転送した旨を示す情報を前記移動体端末から受信した場合は、前記印刷装置に前記印刷用画像が転送された旨を示す転送情報を、前記印刷用画像を識別する識別情報に対応付けて前記転送情報格納部に格納する一方、前記印刷用画像の送信後に前記印刷用画像を前記印刷装置に転送した旨を示す情報を前記移動体端末から受信しなかった場合には、前記印刷装置に前記印刷用画像が転送されていない旨を示す転送情報を、前記印刷用画像を識別する識別情報に対応付けて前記転送情報格納部に格納し、
前記印刷用画像送信部は、前記購入受付部が前記印刷用画像を購入する旨の入力、および、購入する前記印刷用画像を後にダウンロードする旨の入力を前記移動体端末から受け付けたときは、前記印刷装置に前記印刷用画像が転送されていない旨を示す転送情報を、前記印刷用画像を識別する識別情報に対応付けて前記転送情報格納部に格納し、
前記購入受付部は、さらに、印刷用画像を識別する識別情報に対応付けて前記転送情報格納部に前記印刷装置に前記印刷用画像が転送されていない旨を示す転送情報が格納されているか否かを判断し、前記印刷装置に前記印刷用画像が転送されていない旨を示す転送情報に対応付けて前記転送情報格納部に格納された識別情報により識別される印刷用画像をダウンロードする旨の入力を前記移動体端末から受け付け、
前記印刷用画像送信部は、前記購入受付部が前記ダウンロードする旨の入力を受け付けた前記印刷用画像を前記移動体端末に送信し、前記印刷用画像の送信後に前記印刷用画像を前記印刷装置に転送した旨を示す情報を前記移動体端末から受信した場合は、前記印刷装置に前記印刷用画像が転送された旨を示す転送情報を、前記印刷用画像を識別する識別情報に対応付けて前記転送情報格納部に格納する画像送信サーバ。
【請求項２】
前記画像送信サーバは、電子メールを生成し、メールサーバを介して前記移動体端末に送信する電子メール送信部をさらに備え、
前記転送情報格納部は、さらに、前記印刷用画像を識別する識別情報に対応付けて前記印刷用画像を購入する旨の入力を受け付けた購入日時を格納し、
前記購入受付部は、前記印刷用画像を購入する旨の入力を受け付けたときは、前記印刷用画像を識別する識別情報に対応付けて前記購入日時を前記転送情報格納部に格納し、
前記電子メール送信部は、一の印刷用画像を識別する識別情報に対応付けて前記転送情報格納部に前記印刷装置に前記印刷用画像が転送されていない旨を示す転送情報が格納され、かつ、所定の時間を経過した前記購入日時が前記一の識別情報に対応付けて前記転送情報格納部に格納されているときは、前記印刷用画像のダウンロードを促す旨を示す電子メールを生成し、メールサーバを介して前記移動体端末に送信する請求項１に記載の画像送信サーバ。
【請求項３】
印刷装置に転送されて印刷される印刷用画像を移動体端末に送信する画像送信方法であって、
前記移動体端末から、前記印刷用画像を購入する旨の入力、および、購入する前記印刷用画像をすぐにダウンロードするか後にダウンロードするかの入力を受け付ける購入受付手順と、
前記購入受付手順により購入する旨の入力を受け付けた印刷用画像を前記移動体端末に送信し、前記移動体端末が前記印刷用画像を前記印刷装置に転送した旨を示す情報を前記移動体端末から受信する印刷用画像送信手順と、
前記購入受付手順により購入する旨の入力を受け付けた印刷用画像を識別する識別情報に対応付けて、前記印刷装置に前記印刷用画像が転送されたか否かを示す転送情報を転送情報格納部に格納する転送情報格納手順と
を備え、
前記印刷用画像送信手順は、前記購入受付手順が前記印刷用画像を購入する旨の入力、および、購入する前記印刷用画像をすぐにダウンロードする旨の入力を前記移動体端末から受け付けたときは、前記印刷用画像を前記移動体端末に送信し、前記印刷用画像の送信後に前記印刷用画像を前記印刷装置に転送した旨を示す情報を前記移動体端末から受信した場合は、前記印刷装置に前記印刷用画像が転送された旨を示す転送情報を、前記印刷用画像を識別する識別情報に対応付けて前記転送情報格納部に格納する一方、前記印刷用画像の送信後に前記印刷用画像を前記印刷装置に転送した旨を示す情報を前記移動体端末から受信しなかった場合には、前記印刷装置に前記印刷用画像が転送されていない旨を示す転送情報を、前記印刷用画像を識別する識別情報に対応付けて前記転送情報格納部に格納し、
前記印刷用画像送信手順は、前記購入受付手順が前記印刷用画像を購入する旨の入力、および、購入する前記印刷用画像を後にダウンロードする旨の入力を前記移動体端末から受け付けたときは、前記印刷装置に前記印刷用画像が転送されていない旨を示す転送情報を、前記印刷用画像を識別する識別情報に対応付けて前記転送情報格納部に格納し、
前記購入受付手順は、さらに、印刷用画像を識別する識別情報に対応付けて前記転送情報格納部に前記印刷装置に前記印刷用画像が転送されていない旨を示す転送情報が格納されているか否かを判断し、前記印刷装置に前記印刷用画像が転送されていない旨を示す転送情報に対応付けて前記転送情報格納部に格納された識別情報により識別される印刷用画像をダウンロードする旨の入力を前記移動体端末から受け付け、
前記印刷用画像送信手順は、前記購入受付手順が前記ダウンロードする旨の入力を受け付けた前記印刷用画像を前記移動体端末に送信し、前記印刷用画像の送信後に前記印刷用画像を前記印刷装置に転送した旨を示す情報を前記移動体端末から受信した場合は、前記印刷装置に前記印刷用画像が転送された旨を示す転送情報を、前記印刷用画像を識別する識別情報に対応付けて前記転送情報格納部に格納する画像送信方法。
【請求項４】
印刷装置に転送されて印刷される印刷用画像を移動体端末に送信する画像送信サーバを制御するプログラムであって、前記画像送信サーバに、
前記移動体端末から、前記印刷用画像を購入する旨の入力、および、購入する前記印刷用画像をすぐにダウンロードするか後にダウンロードするかの入力を受け付ける購入受付手順、
前記購入受付手順により購入する旨の入力を受け付けた印刷用画像を前記移動体端末に送信し、前記移動体端末が前記印刷用画像を前記印刷装置に転送した旨を示す情報を前記移動体端末から受信する印刷用画像送信手順、
前記購入受付手順により購入する旨の入力を受け付けた印刷用画像を識別する識別情報に対応付けて、前記印刷装置に前記印刷用画像が転送されたか否かを示す転送情報を転送情報格納部に格納する転送情報格納手順
を実行させ、
前記印刷用画像送信手順は、前記購入受付手順が前記印刷用画像を購入する旨の入力、および、購入する前記印刷用画像をすぐにダウンロードする旨の入力を前記移動体端末から受け付けたときは、前記印刷用画像を前記移動体端末に送信し、前記印刷用画像の送信後に前記印刷用画像を前記印刷装置に転送した旨を示す情報を前記移動体端末から受信した場合は、前記印刷装置に前記印刷用画像が転送された旨を示す転送情報を、前記印刷用画像を識別する識別情報に対応付けて前記転送情報格納部に格納する一方、前記印刷用画像の送信後に前記印刷用画像を前記印刷装置に転送した旨を示す情報を前記移動体端末から受信しなかった場合には、前記印刷装置に前記印刷用画像が転送されていない旨を示す転送情報を、前記印刷用画像を識別する識別情報に対応付けて前記転送情報格納部に格納し、
前記印刷用画像送信手順は、前記購入受付手順が前記印刷用画像を購入する旨の入力、および、購入する前記印刷用画像を後にダウンロードする旨の入力を前記移動体端末から受け付けたときは、前記印刷装置に前記印刷用画像が転送されていない旨を示す転送情報を、前記印刷用画像を識別する識別情報に対応付けて前記転送情報格納部に格納し、
前記購入受付手順は、さらに、印刷用画像を識別する識別情報に対応付けて前記転送情報格納部に前記印刷装置に前記印刷用画像が転送されていない旨を示す転送情報が格納されているか否かを判断し、前記印刷装置に前記印刷用画像が転送されていない旨を示す転送情報に対応付けて前記転送情報格納部に格納された識別情報により識別される印刷用画像をダウンロードする旨の入力を前記移動体端末から受け付け、
前記印刷用画像送信手順は、前記購入受付手順が前記ダウンロードする旨の入力を受け付けた前記印刷用画像を前記移動体端末に送信し、前記印刷用画像の送信後に前記印刷用画像を前記印刷装置に転送した旨を示す情報を前記移動体端末から受信した場合は、前記印刷装置に前記印刷用画像が転送された旨を示す転送情報を、前記印刷用画像を識別する識別情報に対応付けて前記転送情報格納部に格納するプログラム。
【発明の詳細な説明】
【技術分野】
【０００１】
本発明は、画像送信サーバ、画像送信方法およびプログラムに関する。特に、本発明は、印刷装置に転送されて印刷される印刷用画像を移動体端末に送信する画像送信サーバ、画像送信方法およびプログラムに関する。
【背景技術】
【０００２】
コミック画像などのコンテンツを不特定多数の携帯端末に配信可能な配信サーバが知られている（例えば、特許文献１参照）。
【特許文献１】特開２００７−０４２０４６号公報
【発明の開示】
【発明が解決しようとする課題】
【０００３】
特許文献１に記載の配信サーバなどの画像配信サーバから、プリンタに転送されて印刷される画像（以下「印刷用画像」という。）を携帯電話に配信する場合も考えられる。しかしながら、プリンタから離れた場所の携帯電話に印刷用画像を送信した場合、携帯電話は、受信した印刷用画像を印刷するまでのあいだ、大容量の印刷用画像を格納しておかなければならないという課題がある。
【課題を解決するための手段】
【０００４】
上記課題を解決するために、本発明の第１の形態においては、印刷装置に転送されて印刷される印刷用画像を移動体端末に送信する画像送信サーバであって、移動体端末から、印刷用画像を購入する旨の入力、および、購入する印刷用画像をすぐにダウンロードするか後にダウンロードするかの入力を受け付ける購入受付部と、購入受付部により購入する旨の入力を受け付けた印刷用画像を移動体端末に送信し、移動体端末が印刷用画像を印刷装置に転送した旨を示す情報を移動体端末から受信する印刷用画像送信部と、購入受付部により購入する旨の入力を受け付けた印刷用画像を識別する識別情報に対応付けて、印刷装置に印刷用画像が転送されたか否かを示す転送情報を格納する転送情報格納部とを備え、印刷用画像送信部は、購入受付部が印刷用画像を購入する旨の入力、および、購入する印刷用画像をすぐにダウンロードする旨の入力を移動体端末から受け付けたときは、印刷用画像を移動体端末に送信し、印刷用画像の送信後に印刷用画像を印刷装置に転送した旨を示す情報を移動体端末から受信した場合は、印刷装置に印刷用画像が転送された旨を示す転送情報を、印刷用画像を識別する識別情報に対応付けて転送情報格納部に格納する一方、印刷用画像の送信後に印刷用画像を印刷装置に転送した旨を示す情報を移動体端末から受信しなかった場合には、印刷装置に印刷用画像が転送されていない旨を示す転送情報を、印刷用画像を識別する識別情報に対応付けて転送情報格納部に格納し、印刷用画像送信部は、購入受付部が印刷用画像を購入する旨の入力、および、購入する印刷用画像を後にダウンロードする旨の入力を移動体端末から受け付けたときは、印刷装置に印刷用画像が転送されていない旨を示す転送情報を、印刷用画像を識別する識別情報に対応付けて転送情報格納部に格納し、購入受付部は、さらに、印刷用画像を識別する識別情報に対応付けて転送情報格納部に印刷装置に印刷用画像が転送されていない旨を示す転送情報が格納されているか否かを判断し、印刷装置に印刷用画像が転送されていない旨を示す転送情報に対応付けて転送情報格納部に格納された識別情報により識別される印刷用画像をダウンロードする旨の入力を移動体端末から受け付け、印刷用画像送信部は、購入受付部がダウンロードする旨の入力を受け付けた印刷用画像を移動体端末に送信し、印刷用画像の送信後に印刷用画像を印刷装置に転送した旨を示す情報を移動体端末から受信した場合は、印刷装置に印刷用画像が転送された旨を示す転送情報を、印刷用画像を識別する識別情報に対応付けて転送情報格納部に格納する。これにより、移動体端末のユーザに、今すぐ印刷しない印刷用画像を購入させることができる。すなわち移動体端末のユーザは、街角で見つけたお気に入りの印刷用画像をその場で購入し、都合の良い時間に、購入した印刷用画像を印刷することができる。また、移動体端末の容量を消費させることなく、移動体端末のユーザに、印刷できなかった印刷用画像を再度印刷させることができる。
【０００５】
画像送信サーバは、電子メールを生成し、メールサーバを介して移動体端末に送信する電子メール送信部をさらに備え、転送情報格納部は、さらに、印刷用画像を識別する識別情報に対応付けて印刷用画像を購入する旨の入力を受け付けた購入日時を格納し、購入受付部は、印刷用画像を購入する旨の入力、および、購入する印刷用画像をすぐにダウンロードするか後にダウンロードするかの入力を受け付けたときは、印刷用画像を識別する識別情報に対応付けて購入日時を転送情報格納部に格納し、電子メール送信部は、一の印刷用画像を識別する識別情報に対応付けて転送情報格納部に印刷装置に印刷用画像が転送されていない旨を示す転送情報が格納され、かつ、所定の時間を経過した購入日時が当該一の識別情報に対応付けて転送情報格納部に格納されているときは、印刷用画像のダウンロードを促す旨を示す電子メールを生成し、メールサーバを介して移動体端末に送信してもよい。これにより、移動体端末のユーザに、購入されたが、印刷されていない印刷用画像がある旨を知らせることができる。
【０００６】
上記課題を解決するために、本発明の第２の形態においては、印刷装置に転送されて印刷される印刷用画像を移動体端末に送信する画像送信方法であって、移動体端末から、印刷用画像を購入する旨の入力、および、購入する印刷用画像をすぐにダウンロードするか後にダウンロードするかの入力を受け付ける購入受付手順と、購入受付手順により購入する旨の入力を受け付けた印刷用画像を移動体端末に送信し、移動体端末が印刷用画像を印刷装置に転送した旨を示す情報を移動体端末から受信する印刷用画像送信手順と、購入受付手順により購入する旨の入力を受け付けた印刷用画像を識別する識別情報に対応付けて、印刷装置に印刷用画像が転送されたか否かを示す転送情報を転送情報格納部に格納する転送情報格納手順とを備え、印刷用画像送信手順は、購入受付手順が印刷用画像を購入する旨の入力、および、購入する印刷用画像をすぐにダウンロードする旨の入力を移動体端末から受け付けたときは、印刷用画像を移動体端末に送信し、印刷用画像の送信後に印刷用画像を印刷装置に転送した旨を示す情報を移動体端末から受信した場合は、印刷装置に印刷用画像が転送された旨を示す転送情報を、印刷用画像を識別する識別情報に対応付けて転送情報格納部に格納する一方、印刷用画像の送信後に印刷用画像を印刷装置に転送した旨を示す情報を移動体端末から受信しなかった場合には、印刷装置に印刷用画像が転送されていない旨を示す転送情報を、印刷用画像を識別する識別情報に対応付けて転送情報格納部に格納し、印刷用画像送信手順は、購入受付手順が印刷用画像を購入する旨の入力、および、購入する印刷用画像を後にダウンロードする旨の入力を移動体端末から受け付けたときは、印刷装置に印刷用画像が転送されていない旨を示す転送情報を、印刷用画像を識別する識別情報に対応付けて転送情報格納部に格納し、購入受付手順は、さらに、印刷用画像を識別する識別情報に対応付けて転送情報格納部に印刷装置に印刷用画像が転送されていない旨を示す転送情報が格納されているか否かを判断し、印刷装置に印刷用画像が転送されていない旨を示す転送情報に対応付けて転送情報格納部に格納された識別情報により識別される印刷用画像をダウンロードする旨の入力を移動体端末から受け付け、印刷用画像送信手順は、購入受付手順がダウンロードする旨の入力を受け付けた印刷用画像を移動体端末に送信し、印刷用画像の送信後に印刷用画像を印刷装置に転送した旨を示す情報を移動体端末から受信した場合は、印刷装置に印刷用画像が転送された旨を示す転送情報を、印刷用画像を識別する識別情報に対応付けて転送情報格納部に格納する。これにより、第１の形態と同一の効果を得ることができる。
【０００７】
上記課題を解決するために、本発明の第３の形態においては、印刷装置に転送されて印刷される印刷用画像を移動体端末に送信する画像送信サーバを制御するプログラムであって、画像送信サーバに、移動体端末から、印刷用画像を購入する旨の入力、および、購入する印刷用画像をすぐにダウンロードするか後にダウンロードするかの入力を受け付ける購入受付手順、購入受付手順により購入する旨の入力を受け付けた印刷用画像を移動体端末に送信し、移動体端末が印刷用画像を印刷装置に転送した旨を示す情報を移動体端末から受信する印刷用画像送信手順、購入受付手順により購入する旨の入力を受け付けた印刷用画像を識別する識別情報に対応付けて、印刷装置に印刷用画像が転送されたか否かを示す転送情報を転送情報格納部に格納する転送情報格納手順を実行させ、印刷用画像送信手順は、購入受付手順が印刷用画像を購入する旨の入力、および、購入する印刷用画像をすぐにダウンロードする旨の入力を移動体端末から受け付けたときは、印刷用画像を移動体端末に送信し、印刷用画像の送信後に印刷用画像を印刷装置に転送した旨を示す情報を移動体端末から受信した場合は、印刷装置に印刷用画像が転送された旨を示す転送情報を、印刷用画像を識別する識別情報に対応付けて転送情報格納部に格納する一方、印刷用画像の送信後に印刷用画像を印刷装置に転送した旨を示す情報を移動体端末から受信しなかった場合には、印刷装置に印刷用画像が転送されていない旨を示す転送情報を、印刷用画像を識別する識別情報に対応付けて転送情報格納部に格納し、印刷用画像送信手順は、購入受付手順が印刷用画像を購入する旨の入力、および、購入する印刷用画像を後にダウンロードする旨の入力を移動体端末から受け付けたときは、印刷装置に印刷用画像が転送されていない旨を示す転送情報を、印刷用画像を識別する識別情報に対応付けて転送情報格納部に格納し、購入受付手順は、さらに、印刷用画像を識別する識別情報に対応付けて転送情報格納部に印刷装置に印刷用画像が転送されていない旨を示す転送情報が格納されているか否かを判断し、印刷装置に印刷用画像が転送されていない旨を示す転送情報に対応付けて転送情報格納部に格納された識別情報により識別される印刷用画像をダウンロードする旨の入力を移動体端末から受け付け、印刷用画像送信手順は、購入受付手順がダウンロードする旨の入力を受け付けた印刷用画像を移動体端末に送信し、印刷用画像の送信後に印刷用画像を印刷装置に転送した旨を示す情報を移動体端末から受信した場合は、印刷装置に印刷用画像が転送された旨を示す転送情報を、印刷用画像を識別する識別情報に対応付けて転送情報格納部に格納する。これにより、第１の形態と同一の効果を得ることができる。
【０００８】
なお、上記の発明の概要は、本発明の必要な特徴の全てを列挙したものではなく、これらの特徴群のサブコンビネーションもまた、発明となりうる。
【発明を実施するための最良の形態】
【０００９】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００１０】
図１は、画像送信サーバ２０等の一例を示す。画像送信サーバ２０は、プリンタ４０に転送されて印刷される印刷用画像を移動体端末３０に送信する。また、画像送信サーバ２０は、メールサーバ５０を介して、電子メールを移動体端末３０に送信する。画像送信サーバ２０は、例えば、インターネット上に設置される。なお、印刷用画像の一例は、アイドルの写真、料理のレシピなどの画像である。また、広告付の画像であってもよい。
【００１１】
移動体端末３０は、ディスプレイ３４および操作パネル３６を備える。移動体端末３０は、例えば、携帯電話であって、無線アクセスネットワークおよびコアネットワーク上のゲートウェイを介して画像送信サーバ２０にアクセスして、画像送信サーバ２０から印刷用画像を受信する。移動体端末３０は、受信した印刷用画像をプリンタ４０で印刷する。例えば、移動体端末３０は、近距離無線通信を介して、受信した印刷用画像をプリンタ４０に送信する。近距離無線通信の一例は、赤外線を利用するＩｒＤＡ（Ｉｎｆｒａｒｅｄ  Ｄａｔａ  Ａｓｓｏｃｉａｔｉｏｎ）、２．４５ＧＨｚ帯の電波を利用するブルートゥース（Ｂｌｕｅｔｏｏｔｈ）などである。メールサーバ５０は、画像送信サーバ２０および移動体端末３０の間の電子メールを送受信する。プリンタ４０は、移動体端末３０から受信した印刷用画像を印刷用紙に印刷する。
【００１２】
図２は、画像送信サーバ２０のブロック図の一例を示す。図３は、転送情報格納部１２０に格納された情報の一例を示す。図２に示すように、画像送信サーバ２０は、画像格納部１００、画面格納部１１０、転送情報格納部１２０、購入受付部１５０、印刷用画像送信部１６０および電子メール送信部１７０を備える。
【００１３】
画像格納部１００は、印刷用画像を識別する印刷用画像識別情報に対応付けて印刷用画像を格納する。画面格納部１１０は、移動体端末３０から要求され、移動体端末３０のディスプレイ３４で表示されるＷｅｂ画面を格納する。電子メール送信部１７０は、電子メールを生成し、メールサーバ５０を介して移動体端末３０に生成した電子メールを送信する。
【００１４】
転送情報格納部１２０は、移動体端末を識別する移動体端末識別情報および印刷用画像識別情報に対応付けて、画像送信サーバ２０が移動体端末から印刷用画像を購入する旨の入力を受け付けた購入日時と、プリンタに印刷用画像が転送されたか否かを示す転送情報を格納する。図３（ａ）に示す例において、転送情報格納部１２０は、移動体端末識別情報「Ｔ００１」および印刷用画像識別情報「Ｇ００１」に対応付けて、転送された旨を示す転送情報「１（転送済）」と購入日時「２００７．３．９  ２０：００」とを格納し、移動体端末識別情報「Ｔ００１」および印刷用画像識別情報「Ｇ００２」に対応付けて、転送されていない旨を示す転送情報「０（未転送）」と購入日時「２００７．３．９  ２０：３０」とを格納している。
【００１５】
購入受付部１５０は、画面格納部１１０に格納されたＷｅｂ画面を介して、移動体端末３０から、印刷用画像を購入する旨の入力および購入する印刷用画像をすぐにダウンロードするか後にダウンロードするかの入力を受け付ける。購入受付部１５０は、移動体端末３０から印刷用画像を購入する旨の入力を受け付けた場合、当該移動体端末を識別する移動体端末識別情報、および、購入する旨の入力を受け付けた印刷用画像を識別する印刷用画像識別情報に対応付けて購入日時を転送情報格納部１２０に格納する。なお、印刷用画像の購入とは、印刷用画像のダウンロードが有料である場合に限定されず、印刷用画像のダウンロードが無料である場合も含まれる。
【００１６】
印刷用画像送信部１６０は、購入受付部１５０が、移動体端末３０から購入する旨の入力を受け付けた印刷用画像を、移動体端末３０に送信する。また、印刷用画像送信部１６０は、移動体端末３０に印刷用画像を送信した後に、移動体端末３０が当該印刷用画像をプリンタ４０に転送した旨を示す情報を受信する。
【００１７】
印刷用画像送信部１６０は、購入受付部１５０により受け付けられた印刷用画像をすぐにダウンロードするか後にダウンロードするかの別、および、印刷用画像をプリンタ４０に転送した旨を示す情報を受信したか否かの別に応じて、転送情報を転送情報格納部１２０に格納する。具体的には、印刷用画像送信部１６０は、購入受付部１５０が印刷用画像を購入する旨の入力、および、購入する印刷用画像をすぐにダウンロードする旨の入力を移動体端末３０から受け付けたときは、印刷用画像を移動体端末３０に送信し、印刷用画像の送信後に当該印刷用画像をプリンタ４０に転送した旨を示す情報を移動体端末３０から受信した場合は、プリンタ４０に当該印刷用画像が転送された旨を示す転送情報「１（転送済）」を、移動体端末３０を識別する移動体端末識別情報および当該印刷用画像を識別する印刷用画像識別情報に対応付けて転送情報格納部１２０に格納する。
【００１８】
印刷用画像送信部１６０は、印刷用画像の送信後に当該印刷用画像をプリンタ４０に転送した旨を示す情報を移動体端末３０から受信しなかった場合には、プリンタ４０に当該印刷用画像が転送されていない旨を示す転送情報「０（未転送）」を、移動体端末３０を識別する移動体端末識別情報および当該印刷用画像を識別する印刷用画像識別情報に対応付けて転送情報格納部１２０に格納する。これにより、移動体端末３０の容量を消費させることなく、移動体端末３０のユーザに、印刷できなかった印刷用画像を再度印刷させることができる。
【００１９】
また、印刷用画像送信部１６０は、購入受付部１５０が印刷用画像を購入する旨の入力、および、購入する印刷用画像を後にダウンロードする旨の入力を移動体端末３０から受け付けたときは、移動体端末３０を識別する移動体端末識別情報およびプリンタ４０に当該印刷用画像が転送されていない旨を示す転送情報「０（未転送）」を、当該印刷用画像を識別する印刷用画像識別情報に対応付けて転送情報格納部１２０に格納する。これにより、移動体端末３０のユーザに、今すぐ印刷しない印刷用画像を購入させることができる。すなわち移動体端末３０のユーザは、街角で見つけたお気に入りの印刷用画像をその場で購入し、都合の良い時間に、購入した印刷用画像を印刷することができる。
【００２０】
また、購入受付部１５０は、印刷用画像識別情報に対応付けて転送情報格納部１２０にプリンタ４０に印刷用画像が転送されていない旨を示す転送情報が格納されているか否かを判断する。購入受付部１５０は、印刷用画像識別情報に対応付けて転送情報格納部１２０にプリンタ４０に印刷用画像が転送されていない旨を示す転送情報が格納されていると判断した場合に、当該印刷用画像識別情報により識別される印刷用画像をダウンロードする旨の入力を移動体端末３０から受け付ける。印刷用画像送信部１６０は、購入受付部１５０がダウンロードする旨の入力を受け付けた印刷用画像を移動体端末３０に送信する。印刷用画像送信部１６０は、当該印刷用画像の送信後に当該印刷用画像をプリンタ４０に転送した旨を示す情報を移動体端末３０から受信した場合は、プリンタ４０に当該印刷用画像が転送された旨を示す転送情報「１（転送済）」を、移動体端末３０を識別する移動体端末識別情報および当該印刷用画像を識別する印刷用画像識別情報に対応付けて転送情報格納部１２０に格納する。
【００２１】
電子メール送信部１７０は、一の印刷用画像識別情報に対応付けて転送情報格納部１２０にプリンタ４０に印刷用画像が転送されていない旨を示す転送情報が格納され、かつ、所定の時間を経過した購入日時が当該一の印刷用画像識別情報に対応付けて転送情報格納部１２０に格納されているときは、当該印刷用画像識別情報により識別される印刷用画像のダウンロードを促す旨を示す電子メールを生成し、メールサーバ５０を介して移動体端末３０に送信する。これにより、移動体端末３０のユーザに対して、購入されたが、印刷されていない印刷用画像がある旨を知らせることができる。
【００２２】
記憶媒体７０は、画像格納部１００、画面格納部１１０、転送情報格納部１２０、購入受付部１５０、印刷用画像送信部１６０および電子メール送信部１７０の動作を実行するアプリケーションソフトウェア（以下、「本画像処理ソフト」という。）を記憶する。画像送信サーバ２０は、記憶媒体７０に記憶された本画像処理ソフトをインストールすることにより、印刷用画像送信部１６０等の動作を行わせてもよい。さらに、他の方法として、画像送信サーバ２０は、本画像処理ソフトを、ネットワークを介して取得してもよい。
【００２３】
図４は、画像送信サーバ２０等の動作の一例を示すフローチャートである。図５は、移動体端末３０のディスプレイ３４に表示されるＷｅｂ画面の一例を示す。図４に示すフローチャートは、移動体端末３０の利用者からの要求に基づいて画像送信サーバ２０から移動体端末３０に印刷用画像を送信する例を説明する。図４に示すフローチャートの開始時において、移動体端末３０のディスプレイ３４には、図５（ａ）に示す画像送信サービスのメニュー画面が表示されているものとする。図４に示すフローチャートは、図５に示すメニュー画面において、リンク「印刷用画像を購入」がクリックすることにより開始する（Ｓ１００）。なお、画像送信サーバ２０の購入受付部１５０は、移動体端末３０からアクセスがあった時点で、移動体端末３０を識別する移動体端末識別情報を取得し、記憶しているものとする。なお、本フローチャートの左側は、画像送信サーバ２０の動作を、右側は移動体端末３０の動作を示す。
【００２４】
画像送信サーバ２０の購入受付部１５０は、移動体端末３０からリンク「印刷用画像を購入」がクリックされた旨を受信する。購入受付部１５０は、画面格納部１１０に格納された図５（ｂ）に示す印刷用画像購入画面に、画像格納部１００に格納された印刷用画像のサムネイルを割り付けて、移動体端末３０に送信する（Ｓ２００）。なお、購入受付部１５０は、割り付けた印刷用画像のサムネイルに対応付けて当該印刷用画像を識別する印刷用画像識別情報を送信する。
【００２５】
移動体端末３０は、図５（ｂ）に示す印刷用画像購入画面をディスプレイ３４に表示する。移動体端末３０は、図５（ｂ）に示す印刷用画像購入画面において、リンク「購入する」が選択された旨の入力を受け付けることにより、ユーザから、ディスプレイ３４に表示された印刷用画像を購入する旨の入力を受け付ける（Ｓ１１０）。移動体端末３０は、ディスプレイ３４に表示された印刷用画像に対応付けられた印刷用画像識別情報、および、印刷用画像を購入する旨を示す情報を画像送信サーバ２０の購入受付部１５０に送信する（同ステップ）。
【００２６】
画像送信サーバ２０の購入受付部１５０は、移動体端末３０から、印刷用画像識別情報および印刷用画像を購入する旨を示す情報を受信する。購入受付部１５０は、画面格納部１１０に格納された図５（ｃ）に示す印刷確認面面を移動体端末３０に送信する（Ｓ２１０）。また、画像送信サーバ２０の購入受付部１５０は、転送情報格納部１２０に、移動体端末３０を識別する移動体端末識別情報および受信した印刷用画像識別情報に対応付けて購入日時を記憶する（Ｓ２１５）。
【００２７】
移動体端末３０は、図５（ｃ）に示す印刷確認画面をディスプレイ３４に表示する。移動体端末３０は、図５（ｃ）に示す印刷確認画面において、リンク「すぐに印刷する」またはリンク「後で印刷」のいずれかを選択の入力を受け付けることにより、ユーザから、当該印刷用画像をすぐにダウンロードするか後にダウンロードするかの入力を受け付ける（Ｓ１２０）。移動体端末３０は、リンク「すぐに印刷する」の入力を受け付けたときは、すぐにダウンロードする旨を示す情報を画像送信サーバ２０の購入受付部１５０に送信し、リンク「後で印刷」の入力を受け付けたときは、後にダウンロードする旨を示す情報を画像送信サーバ２０の購入受付部１５０に送信する（同ステップ）。
【００２８】
画像送信サーバ２０の購入受付部１５０は、移動体端末３０から、すぐにダウンロードする旨の情報を受信したか否かを判断する（Ｓ２２０）。ステップＳ２２０において購入受付部１５０は、移動体端末３０から、すぐにダウンロードする旨を受信したと判断したときは（Ｓ２２０：Ｙｅｓ）、印刷用画像識別情報、および、すぐにダウンロードする旨を印刷用画像送信部１６０に通知する。印刷用画像送信部１６０は、通知された印刷用画像識別情報に対応付けて画像格納部１００に格納された印刷用画像を、移動体端末３０に送信する（Ｓ２３０）。
【００２９】
ステップＳ２３０に続いて移動体端末３０は、印刷用画像を受信してプリンタ４０に転送する（Ｓ１４０）。移動体端末３０は、プリンタ４０に印刷用画像を転送した旨を示す情報を画像送信サーバ２０の印刷用画像送信部１６０に送信する（Ｓ１５０）。なお、移動体端末３０は、ステップＳ１４０において、印刷用画像を受信できなかった場合、印刷用画像を受信した後にプリンタ４０に転送できなかった場合には、プリンタ４０に印刷用画像を転送した旨を示す情報を送信しない。
【００３０】
画像送信サーバ２０の印刷用画像送信部１６０は、移動体端末３０がプリンタ４０に印刷用画像を転送した旨を示す情報を、移動体端末３０から受信したか否かを判断する（Ｓ２５０）。ステップＳ２５０において印刷用画像送信部１６０は、移動体端末３０がプリンタ４０に印刷用画像を転送した旨を示す情報を、移動体端末３０から受信したと判断したときは（Ｓ２５０：Ｙｅｓ）、移動体端末３０を識別する移動体端末識別情報、当該印刷用画像識別情報に対応付けて、転送された旨を示す転送情報「１（転送済）」を、転送情報格納部１２０に格納する（２６０）。そして本フローチャートは終了する。
【００３１】
一方、ステップＳ２５０において印刷用画像送信部１６０は、移動体端末３０がプリンタ４０に印刷用画像を転送した旨を示す情報を、所定の時間内に移動体端末３０から受信しなかったと判断したときは（Ｓ２５０：Ｎｏ）、移動体端末３０を識別する移動体端末識別情報、当該印刷用画像識別情報に対応付けて、転送されていない旨を示す転送情報「０（未転送）」を、転送情報格納部１２０に格納する（２７０）。そして本フローチャートは終了する。
【００３２】
一方、ステップＳ２２０において購入受付部１５０は、移動体端末３０から、すぐにダウンロードする旨を受信しなかったと判断したとき（Ｓ２２０：Ｎｏ）、すなわち後にダウンロードする旨を受信したと判断したときは（Ｓ２２０：Ｎｏ）、その旨を印刷用画像送信部１６０に通知する。印刷用画像送信部１６０は、移動体端末３０を識別する移動体端末識別情報、当該印刷用画像識別情報に対応付けて、転送されていない旨を示す転送情報「０（未転送）」を、転送情報格納部１２０に格納する（２７０）。そして本フローチャートは終了する。
【００３３】
図６は、画像送信サーバ２０等の動作の一例を示すフローチャートである。図６に示すフローチャートは、画像送信サーバ２０から印刷用画像のダウンロードを促す旨を示す電子メールを移動体端末３０に送信する例を説明する。図６に示すフローチャートは、画像送信サーバ２０が備える内部時計に基づいて定期的および自動的に開始する。なお、図６に示すフローチャートの開始時において、画像送信サーバ２０の転送情報格納部１２０は、図３に示す情報を格納しているものとする。なお、図３に示す移動体端末識別情報「Ｔ００１」は、移動体端末３０を識別する識別情報であるものとする。なお、本フローチャートの左側は、画像送信サーバ２０の動作を、中央は移動体端末３０の動作を、右側はメールサーバ５０の動作を示す。
【００３４】
電子メール送信部１７０は、移動体端末識別情報「Ｔ００１」、および、一の印刷用画像識別情報に対応付けて転送情報格納部１２０にプリンタ４０に印刷用画像が転送されていない旨を示す転送情報が格納されているか否かを判断する（Ｓ４００）。ステップＳ４００において電子メール送信部１７０は、移動体端末識別情報「Ｔ００１」、および、一の印刷用画像識別情報に対応付けて転送情報格納部１２０にプリンタ４０に印刷用画像が転送されていない旨を示す転送情報が格納されていると判断した場合には（Ｓ４００：Ｙｅｓ）、所定の時間を経過した購入日時が、移動体端末識別情報「Ｔ００１」および当該一の印刷用画像識別情報に対応付けて転送情報格納部１２０に格納されているか否かを判断する（Ｓ４１０）。ステップＳ４１０において電子メール送信部１７０は、所定の時間を経過した購入日時が当該一の印刷用画像識別情報に対応付けて転送情報格納部１２０に格納されていると判断した場合は（Ｓ４１０：Ｙｅｓ）、当該印刷用画像識別情報により識別される印刷用画像のダウンロードを促す旨を示す電子メールを生成し、メールサーバ５０を介して、移動体端末識別情報「Ｔ００１」により識別される移動体端末３０に送信する（Ｓ４２０、Ｓ７００、Ｓ３００）。
【００３５】
電子メールを受信した移動体端末３０は、図５（ｄ）に示す印刷要求画面を画像送信サーバ２０の購入受付部１５０に要求する（Ｓ５００）。例えば、画像送信サーバ２０の電子メール送信部１７０が、図５（ｄ）に示す印刷要求画面へのリンク情報を付した電子メールを送信した場合には、移動体端末３０が当該リンクをクリックすることにより、図５（ｄ）に示す印刷要求画面を購入受付部１５０に要求する（同ステップ）。また例えば、電子メール送信部１７０が、図５（ａ）に示すメニュー画面へのリンク情報を付した電子メールを送信した場合には、移動体端末３０が当該リンクをクリックすることにより、図５（ａ）に示すメニュー画面を購入受付部１５０に要求し、メニュー画面のリンク「未印刷の印刷用画面を印刷」をクリックすることにより、図５（ｄ）に示す印刷要求画面を購入受付部１５０に要求する（同ステップ）。
【００３６】
画像送信サーバ２０の購入受付部１５０は、画面格納部１１０に格納された図５（ｄ）に示す印刷要求画面に、当該一の印刷用画像に対応付けて画像格納部１００に格納された印刷用画像のサムネイルを割り付けて、移動体端末３０に送信する（Ｓ６１０）。
【００３７】
移動体端末３０は、図５（ｄ）に示す印刷要求画面をディスプレイ３４に表示する。移動体端末３０は、図５（ｄ）に示す印刷要求画面において、リンク「印刷する」またはリンク「いいえ」のいずれかを選択の入力を受け付けることにより、ユーザから、当該印刷用画像をダウンロードするか否かの入力を受け付ける（Ｓ５２０）。移動体端末３０は、リンク「印刷する」の入力を受け付けたときは、ダウンロードする旨を示す情報を画像送信サーバ２０の購入受付部１５０に送信し、リンク「いいえ」の入力を受け付けたときは、ダウンロードしない旨を示す情報を画像送信サーバ２０の購入受付部１５０に送信する（同ステップ）。
【００３８】
画像送信サーバ２０の購入受付部１５０は、移動体端末３０から、ダウンロードする旨の情報を受信したか否かを判断する（Ｓ６２０）。ステップＳ６２０において購入受付部１５０は、移動体端末３０から、ダウンロードする旨を受信したと判断したときは（Ｓ２２０：Ｙｅｓ）、印刷用画像識別情報、および、ダウンロードする旨を印刷用画像送信部１６０に通知する。印刷用画像送信部１６０は、通知された印刷用画像識別情報に対応付けて画像格納部１００に格納された印刷用画像を、移動体端末３０に送信する（Ｓ６３０）。ステップＳ６３０に続く移動体端末３０のステップＳ５４０、Ｓ５５０は、図４に示す移動体端末３０のステップＳ１４０、Ｓ１５０と同様なので説明を省略する。
【００３９】
画像送信サーバ２０の印刷用画像送信部１６０は、移動体端末３０がプリンタ４０に印刷用画像を転送した旨を示す情報を、移動体端末３０から受信したか否かを判断する（Ｓ６５０）。ステップＳ６５０において印刷用画像送信部１６０は、移動体端末３０がプリンタ４０に印刷用画像を転送した旨を示す情報を、移動体端末３０から受信したと判断したときは（Ｓ６５０：Ｙｅｓ）、移動体端末３０を識別する移動体端末識別情報および当該印刷用画像識別情報に対応付けて、転送された旨を示す転送情報「１（転送済）」を、転送情報格納部１２０に格納する（Ｓ６６０）。すなわち印刷用画像送信部１６０は、転送情報「０（未転送）」を転送情報「１（転送済）」に書き換える（同ステップ）。そして本フローチャートは終了する。
【００４０】
一方、ステップＳ６５０において印刷用画像送信部１６０は、移動体端末３０がプリンタ４０に印刷用画像を転送した旨を示す情報を、所定の時間内に移動体端末３０から受信しなかったと判断したときは（Ｓ６５０：Ｎｏ）、ステップＳ６６０を飛ばして、本フローチャートは終了する。
【００４１】
一方、ステップＳ４００において電子メール送信部１７０は、移動体端末識別情報「Ｔ００１」、および、一の印刷用画像識別情報に対応付けて転送情報格納部１２０にプリンタ４０に印刷用画像が転送されていない旨を示す転送情報が格納されていないと判断した場合（Ｓ４００：Ｎｏ）、または、ステップＳ４１０において電子メール送信部１７０は、所定の時間を経過した購入日時が当該一の印刷用画像識別情報に対応付けて転送情報格納部１２０に格納されていないと判断した場合は（Ｓ４１０：Ｎｏ）、続く処理を飛ばして、本フローチャートは終了する。
【００４２】
以上、本実施例によれば、移動体端末３０のユーザに、今すぐ印刷しない印刷用画像を購入させることができる。すなわち移動体端末３０のユーザは、街角で見つけたお気に入りの印刷用画像をその場で購入し、都合の良い時間に、購入した印刷用画像を印刷することができる。また、移動体端末３０の容量を消費させることなく、移動体端末のユーザに、印刷できなかった印刷用画像を再度印刷させることができる。
【００４３】
なお、本実施例において、購入受付部１５０は、画面格納部１１０に格納されたＷｅｂ画面を介して、移動体端末３０から、印刷用画像を購入する旨の入力等を受け付けるが、移動体端末３０が画像送信サーバ２０にアクセスするアプリケーションを備え、購入受付部１５０は、移動体端末３０が備える上記アプリケーションの画面を介して、移動体端末３０から、印刷用画像を購入する旨の入力等を受け付けてもよい。また、本実施例において、画像送信サーバ２０とメールサーバ５０は別体であるが、画像送信サーバ２０は、メールサーバ５０の機能を備えてもよい。
【００４４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００４５】
【図１】画像送信サーバ２０等の一例を示す。
【図２】画像送信サーバ２０のブロック図の一例を示す。
【図３】転送情報格納部１２０に格納された情報の一例を示す。
【図４】画像送信サーバ２０等の動作の一例を示すフローチャートである。
【図５】移動体端末３０のディスプレイ３４に表示されるＷｅｂ画面の一例を示す。
【図６】画像送信サーバ２０等の動作の一例を示すフローチャートである。
【符号の説明】
【００４６】
２０  画像送信サーバ、３０  移動体端末、３４  ディスプレイ、３６  操作パネル、４０  プリンタ、５０  メールサーバ、７０  記憶媒体、１００  画像格納部、１１０  画面格納部、１２０  転送情報格納部、１５０  購入受付部、１６０  印刷用画像送信部、１７０  電子メール送信部
【図１】
2008287586.tif 000003
【図２】
2008287586.tif 000004
【図３】
2008287586.tif 000005
【図４】
2008287586.tif 000006
【図５】
2008287586.tif 000007
【図６】
2008287586.tif 000008